(57)【要約】【課題】薄板屋根部材と軒下唐草部材が良好に引っ掛け部で係合し、耐久強度も強く、強風、大雨、熱膨張等の環境下にも良好に係合を維持する薄板屋根部材と軒下唐草部材の係合構造とその組み立て施工方法を提供することを課題とする。【解決手段】略コの字形状の薄板屋根部材端部引っ掛け部と、軒下唐草部材のＬ字型部分で形成される引っ掛け部を係合させ、アルミニウム押し出し加工材料、板金加工接合部材を駆使して薄板屋根部材と軒下唐草部材を係合、組み立てる。先端を水返し用に曲げるとともに、板金塑性加工装置を屋根施工現場近傍に持ち込んで塑性加工することを特徴とする。【選択図】図１
2018199990.tif 000002
【特許請求の範囲】
【請求項１】
薄板屋根部材との係合部分の軒下唐草部材に、前記軒下唐草部材から突き出す２つの下向きの略直角をなす断面Ｌ字型部からなる前記軒下唐草部材略矩形引っ掛け部を形成し、前記薄板屋根部材端部に略コの字形状の薄板屋根部材側引っ掛け部を形成し、前記軒下唐草部材略矩形引っ掛け部と薄板屋根部材端部の略コの字形引っ掛け部を係合させることを特徴とする前記軒下唐草部材と前記薄板屋根部の係合構造。
【請求項２】
前記略コの字形状の薄板屋根部材端部の略コの字形引っ掛け部の先端に、断面が曲率をもって前記薄板屋根部材の下側に曲がる曲げ部分を設けることを特徴とする請求項１記載の引っ掛け部が略コの字形状の薄板屋根部材。
【請求項３】
前記略コの字形状の薄板屋根部材端部の引っ掛け部下側の断面Ｌ字型角部を略直角でなく、部分的に曲率を持った断面曲線とすることを特徴とする請求項２記載の略コの字形状の薄板屋根部材。
【請求項４】
前記引っ掛け部が略コの字形状の薄板屋根部材端部の前記略コの字形状の背寸法に対して、前記引っ掛け部が略コの字形状の薄板屋根部材の断面開口寸法が、少し短い、または、少し長いことを特徴とする請求項１記載の略コの字形状の薄板屋根部材。
【請求項５】
前記２つの下向きの略直角をなす断面Ｌ字型部からなる前記軒下唐草部材引っ掛け部断面上表線と、前記前記略コの字形状の薄板屋根部材端部の前記係合構造部上表線とを所定の角度をもって係合させることを特徴とする請求項１記載の引っ掛け薄板屋根部材と軒下唐草部材との係合構造。
【請求項６】
前記２つの下向きの略直角をなす断面Ｌ字型部からなる軒下唐草部材引っ掛け部断面上表線と、前記前記略コの字形状の薄板屋根部材端部の前記係合構造部上表線と略平行に係合させることを特徴とする請求項１記載の引っ掛け薄板屋根部材と軒下唐草部材との係合構造。
【請求項７】
前記２つの下向きの略直角をなす断面Ｌ字型部分で形成される前記軒下唐草部材引っ掛け部に係合する前記略コの字形状の薄板屋根部材端部の引っ掛け部の背部１１の断面長さが、前記２つの下向きの略直角をなす断面Ｌ字型部分で形成される前記軒下唐草部材の略矩形引っ掛け部の背部２１の断面長さより短く、前記略コの字形状の薄板屋根部材端部の引っ掛け部先端近傍部１３の断面長さが、前記軒下唐草部材引っ掛け部水平部１４の断面長さより短く、かつ、前記軒下唐草部材引っ掛け部先端近傍部１５の断面長さより短いことを特徴とする請求項２〜４記載の略コの字形状の引っ掛け部薄板屋根部材。
【請求項８】
前記軒下唐草部材をアルミニウム押し出し加工材料とする請求項１、５、６、７いずれか１項記載の軒下唐草部材。
【請求項９】
前記軒下唐草部材を板金加工接合部材とする請求項１、５、６、７いずれか１項記載の軒下唐草部材。
【請求項１０】
前記薄板屋根部材を、鋼板、カラー鋼板、塗装ステンレス鋼板、クラッドメタル材、溶融アルミニウムめっき鋼板、ガルバリウム（Ｇａｌｖａｌｕｍｅ）鋼板（登録商標）、アルミニウム−亜鉛合金めっき鋼板、フッ素鋼板、ポリ塩化ビニール樹脂等の樹脂被覆鋼板、前塗装アルミニウム板、塗装アルミニウム板、銅版、亜鉛板、のいずれか１つの材料とする請求項１〜７記載の薄板屋根部材。
【請求項１１】
前記軒下唐草部材を、鋼板、カラー鋼板、塗装ステンレス鋼板、クラッドメタル材、溶融アルミニウムめっき鋼板、ガルバリウム（Ｇａｌｖａｌｕｍｅ）鋼板（登録商標）、アルミニウム−亜鉛合金めっき鋼板、フッ素鋼板、ポリ塩化ビニール樹脂等の樹脂被覆鋼板、前塗装アルミニウム板、塗装アルミニウム板、銅版、亜鉛板、のいずれか１つの材料とする請求項１、５、６、７、９いずれか１項記載の軒下唐草部材。
【請求項１２】
前記薄板屋根部材の屋根側、または、屋根と反対側のいずれか一方に断熱材を積層することを特徴とする請求項１〜７、請求項１０記載の薄板屋根部材。
【請求項１３】
前記薄板屋根部材の屋根側、または、屋根と反対側のいずれか一方に断熱材を積層することを特徴とする請求項１〜７、請求項１０、請求項１２に記載の薄板折板屋根部材。
【請求項１４】
前記断熱材をポリエチレンフォームとし、前記薄板屋根部材のコの字状係合部分の下側への先端折り曲げ水返し部の曲率曲線をオーバーラップするように積層することを特徴とする請求項１３記載の薄板折板屋根部材。
【請求項１５】
前記軒下唐草部材と、前記略コの字形状の薄板屋根部材の、いずれかの板金塑性加工の一部または全部を加工する塑性加工装置を屋根施工現場近傍に持ち込んで塑性加工することを特徴とする請求項請求項１〜７、請求項９〜１４記載の引っ掛け薄板屋根部材と軒下唐草部材の係合組み立て施工方法。
【発明の詳細な説明】
【技術分野】
【０００１】    本発明は、薄板を用いた屋根葺施工に関し、特に金属薄板屋根部材と軒下唐草部材の係合構造とその組み立て施工方法に関する。
【背景技術】
【０００２】    伝統的な和瓦葺施工の屋根は、重厚感と高級感を備えた外見を有し、多くの家屋、建て屋に使用されているが、近年国内で発生した大きな地震では、重量の大きな和瓦が耐震構造の充分でない住宅、建て屋を倒壊、半倒壊させて被害を招いている。将来発生が予想される地震でもこのような被害が懸念される。スレート屋根等の有効性も確認されているが、スレート屋根も重量があり、大きな地震での住宅、建て屋に与える負担は大きい。スレート屋根系の耐久性は、金属薄板製の屋根系に比較して、１０年前後は耐久性が短くより多くのメンテナンスが必要と屋根施工業界で言われることも多い。ここに、近年、美観が良好な金属板を含む薄板製の折板屋根部材が、学校、体育館、工場等の屋根として普及してきた。これら薄板折板屋根部材は、高い防水性と耐風圧性を工夫できるため普及してきた。金属板を含む薄板製の折板屋根部材は、工夫しだいで迅速に締結係合組み立てでき、メンテナンスを含むランニングコストも安い。【０００３】    特許文献１に示すように、屋根野地板面の軒先通に、金属板葺として通常のほぼ同程度で葺込ができ、長尺間に継箇所がないことから、雨水の流れに抵抗をあたえず、離剥もなく、雨漏りもない屋根とするために、現場でロール状巻を戻し、つかみ工具を用い鉛直に起こす等の工程で外壁接近させる等の効果を意図した屋根板とその製造装置が記載されている。【０００４】  また、特許文献２に示すように、既存の瓦棒葺き屋根の葺替え作業を効率化し、工期を短縮して経済的な葺替えを実現可能とするために、瓦棒部の高さ寸法に所定肉厚を加算した厚みに設定された外周縁上に達する帯状の防水用シートを装着し、スペーサーの上部に、夫々の左右側に配置される充填材部を配置する構成が開示されている。【０００５】  さらに、特許文献３では、長尺横葺き材による屋根上に一定間隔をおいて、飾りと補強を兼ねた飾り桟の取付構造の提供するために、一定間隔を置いて掛止め吊子の先端の掛止め吊子馳ぜを屋根材連結部の馳ぜ部に挿入して固定し、形状半円筒状で両縁を内側に折曲げて形成した巻込み馳ぜ両側端を備え、長手方向両端部に二重リブを設けた飾り桟の巻込み馳ぜ両側端を掛止め吊子の両側部の下面に押し込れ飾り桟を固定する構成が開示されている。【０００６】  特許文献４には、排水機能、防水機能、施工機能、等を向上した軒先構造のために、横張り屋根材の張り始めの軒先構造において、水平面状の固定片と、固定片の軒側先端を上方に突出した立ち上がり片と、立ち上がり片の先端を軒側に折り返した係止片とからなる係止部と、立ち上がり片の根元を軒側に突出した突出片と、突出片の先端を下方に傾斜して突出した傾斜片と、傾斜片の先端を棟側に屈曲し、鉛直線との角度を９０度以下とした水切り片とから長尺状に形成した軒先唐草を、屋根下地の軒先に形成する構成が開示されている。【０００７】特許文献５には、屋根材の施工開始用の唐草材を施工し、横葺の長尺屋根材の釘打片を屋根下地の防水紙の上に釘打ち固定して施工する、横葺の屋根構造において、防水紙の表面においての水溜まりを解消する屋根構造に関し、毛管現象による雨漏りを解消するため下方の防水紙と上方の防水紙とを隙間無く重ねてつなげた���水紙の上に施工する、屋根材の裏側に侵入した雨水等を、長尺屋根材の釘打片の上方の雨水等を下方に流す木摺抜口か、唐草の上方の雨水等を下方に流して屋根構造外に排出する唐草抜口の、雨水等を下方に流す少なくとも一種類の手段による、雨水等を下方に流す、防水紙の表面においての水溜まりを解消する屋根構造と防水紙と唐草材および屋根材とする構成が開示されている。【０００８】  特許文献６には、屋根下地の野地板や小屋裏への熱気の侵入を防ぎ、屋根板裏面及び野地板の結露を防止してこれらの早期腐食を防止するとともに、小屋裏換気量を少なくして暖冷房負荷を低減するために、アスファルトルーフィングを施した野地板の上に断熱材を介在させて横葺き金属瓦を桁方向と勾配方向に連ねて葺き上げた横葺き金属瓦屋根において、前記横葺き金属瓦と断熱材との間、及び前記野地板と断熱材との間にそれぞれ軒先から小屋裏に抜ける空気通路を形成する構成が開示されている。【０００９】  特許文献７には、建築物の屋根面、又は外壁面の平坦部に長尺鎧飾押え桟を数奇屋葺にする為、屋根面に施工及び工事を早く安く仕上げるのが目的で、この度発明した鶴首型掛止吊基板の両側面、角度調整上折曲がり下向傾斜喰込片と屋根面上部に掛止吊子下向折れで横葺屋根板に隙間を作り、飾り押え桟巻込馳ぜ上向噛込片を掛止吊子喰込片と合せ、飾り押え桟を上から押えて、両手で屋根面上下２段手で掴ると一瞬の内に噛込み、素人でも仕上げが早く美観、体裁よく、仕上げる構成が開示されている。【００１０】  特許文献８には、仕上りが奇麗でしかも高度の技術も必要なく、さらに軒先化粧カバーの取り付け作業のスピードアップ化を図るために、隣合う金属屋根材１の接続片２と被接続片３とで略筒形の接続部４が構成され、この接続部４の軒先端部４ａに軒先化粧カバー５を取着するようにした金属屋根材１の軒先構造である。接続部４の軒先端部４ａにおける両側の裾部４ｂに切り込み６をそれぞれ形成する。金属屋根材１の軒先部７の下面に屋根下地に取り付けられる軒先唐草８の当接片９を当接させると共に、金属屋根材１の軒先部７を上記切り込み６に沿って折り返して当接片９をつかみ込む。その後、接続部４の軒先端部４ａに軒先化粧カバー５を外嵌により取り付ける構成が開示されている。【００１１】  特許文献９には、既存の瓦棒葺屋根を除去することなく新規屋根材が施工でき、工期が短縮できる軒先部改修構造を得るために、既存の瓦棒葺屋根αを取り去ることなく、軒先部分を唐草エクステンションＡ１、唐草下地Ａ２およびスタータＡ３からなる３部材の唐草Ａで覆い、新規の屋根材を段葺き用の屋根材Ｄで納めることにより景観を重視し、唐草Ａと段葺き用の屋根材Ｄの間にスペーサＢを介在させ、ガタツキや変形がなく施工できると共に、段葺き用の屋根材Ｄおよび裏打材Ｃの第１段目と第２段目以降の段差の角度を略同一として景観を向上させることができる瓦棒葺屋根の軒先部改修構造が開示されている。
【先行技術文献】
【特許文献】
【００１２】
【特許文献１】特開２０００−６４５２０号公報
【特許文献２】特開２００１−１６４７０８号公報
【特許文献３】特開２００１−１７３１７０号公報
【特許文献４】特開２０１６−１６９４８４号公報
【特許文献５】特開２０１０−９５９８５号公報
【特許文献６】特開２００４−２７８１１１号公報
【特許文献７】特開２００３−１４７９１６号公報
【特許文献８】特開２０００−３３６８７０号公報
【特許文献９】特開平８−２７９６４号公報
【発明の概要】
【発明が解決しようとする課題】
【００１３】  特許文献１、特許文献２、特許文献３、特許文献４、特許文献５、特許文献６、特許文献７、特許文献８、特許文献９を含む金属薄板屋根部材にかかる従来技術においては、係合性、組み立て性が良好で、施工しやすく、同時に、防水性、水返し機能を満足させ、美観を維持しつつ、薄板屋根部材の加工誤差、組み立て誤差を、冗長性良好に吸収するとともに、少ない部品点数で、安定した耐久品質を効果的に維持しにくい課題があった。【００１４】  同時に、特許文献１、特許文献２、特許文献３、特許文献４、特許文献５、特許文献６、特許文献７、特許文献８、特許文献９を含む金属薄板屋根部材にかかる従来技術においては、金属の比熱の低さ、伝熱性に起因して、外気温の上下変動に対して熱膨張が発生した際、多くの薄板屋根部材で集積した熱膨張寸法差を、軒下唐草部材と直接係合する薄板屋根部材との組み立て係合構造で、耐久性とともに、冗長性良好に安定的に吸収しにくい課題があった。【００１５】  さらに、特許文献１、特許文献２、特許文献３、特許文献４、特許文献５、特許文献６、特許文献７、特許文献８、特許文献９を含む金属薄板屋根部材にかかる従来技術においては、台風や強風による負圧と正圧の繰り返し印加時に、冗長性良好に防水性、水返し機能を耐久的に維持し、施工時やメンテナンス時に、作業員が上に乗ったり、施工装置や、材料・工具等を屋根に仮置きした際、撓んだり、撓んだ履歴が残ることを冗長性良好に防止し、撓んだり、撓んだ履歴が残ることによる防水機能の低下を、シンプルで、生産性、施工性の良好な構造にて防止しにくい課題があった。【００１６】  特許文献６においては、唐草と屋根板の係合について、後述するところの、特に施工しやすく、風雨に耐えて安定品質を維持する本発明にかかる唐草と屋根板の係合についての構成、手段については、作用、効果とともに開示されていない課題があった。【００１７】  特許文献７おいては、文献における押込Ｕ型（１２）固定片（１３）等の構成、手段が、本発明の構成、手段と異なり、結果、本発明の作用、効果と異なる。結果、本発明と、構成、手段が、異なることにより、後述する本発明の作用、効果が得られない課題があった。【００１８】  特許文献８においては、軒先唐草８の当接片９を当接させる構成が異なる。その当接に際して、固接を前提とする締結具が小さい○として図４等に記載されている。図４等に一定の大きな面積を持って、当接させる構成、固接させる構成が開示されている。本発明は唐草と屋根板を当接させたり、固接させたりする構成、手段ではない。本発明は、唐草と屋根部材を所定の面積をもって、むしろしっかりと当接させないことによる、固接させないことによる、特に一定の大きな面積を持って唐草と屋根板をしっかりと当接させないことによる、固接させないことによる屋根板の傾斜バラエティ対応性、組み立て施工しやすさ、耐久、耐候品質の安定性にかかる後述する作用、効果を奏する発明である。結果、本発明と、構成、手段が、異なることにより、後述する本発明の作用、効果が得られない課題があった。【００１９】  特許文献９においては、文献におけるスペーサＢ等を介在させる等、部品点数が多く複雑な構成による部品材料費、���み立て工数が大きい。少ない部品点数で部品材料費、組み立て工数が少なく、屋根板の傾斜バラエティ対応性、組み立て施工しやすさ、耐久、耐候品質の安定性にかかる作用、効果を奏する後述する本発明と構成、作用、効果が異なる。これに対して本発明は、組み立て施工しやすさ、耐久、耐候品質の安定性にかかる後述する作用、効果を奏する発明である。結果、特許文献９は、本発明と、構成、手段が、異なることにより、後述する本発明の作用、効果が得られない課題があった。【００２０】  そこで、本発明は、係合性、組み立て性が良好で、施工しやすく、同時に、防水性、水返し機能を満足させ、美観を維持しつつ、薄板屋根部材の加工誤差、組み立て誤差を、冗長性良好に吸収するとともに、少ない部品点数で、安定した耐久品質を効果的に維持する薄板屋根部材と軒下唐草部材の係合構造とその組み立て施工方法を提供することを課題とする。また、本発明は、薄板屋根部材が、急傾斜でも、緩傾斜でも、フラットであったとしても、水返し機能を果たしつつ、薄板屋根部材の加工誤差、組み立て誤差を、冗長性良好に吸収するとともに、少ない部品点数で、安定した耐久品質を効果的に維持する機能を同一またはほぼ同一薄板屋根部材、同一またはほぼ同一唐草によって実現しにくい課題を克服することをも課題とする。【００２１】  そして、本発明は、所定の面積をもって唐草と屋根板をしっかりと当接させすぎないことによる、固接させないことによる屋根板の傾斜バラエティ対応性、組み立て施工しやすさ、耐久、耐候品質の安定性を良好にする薄板屋根部材と軒下唐草部材の係合構造とその組み立て施工方法を提供することを課題とする。また、施工時やメンテナンス時に、作業員が上に乗ったり、施工装置や、材料・工具等を屋根に仮置きした際の強度を維持する薄板屋根部材と軒下唐草部材の係合構造とその組み立て施工方法を提供することを課題とする。さらに、施工時やメンテナンス時に、作業員が上に乗ったり、施工装置や、材料・工具等を屋根に仮置きした際、撓んだり、撓んだ履歴が残ることによる防水機能の低下を防止することを課題とする。施工時やメンテナンス時に、作業員が上に乗ったり、施工装置や、材料・工具等を仮置きした際、重力によって撓むことにより、力が印加した状態で、接触擦り合うことによって、薄板屋根部材の表面塗装をした時、クラッド材料等を配置した時、部分的に剥がれて腐食の要因になるのを回避する薄板屋根部材と軒下唐草部材の係合構造とその組み立て施工方法を提供することを課題とする。また、重力によって撓むことにより、力が印加した状態で、接触し擦り合うことが原因となっての腐食開始を抑制する薄板屋根部材と軒下唐草部材の係合構造とその組み立て施工方法を提供することを課題とする。【００２２】  また、同時に、本発明は、水がたまりにくく、屋根の機能として重要な水がえし防水効果の高い薄板折板屋根部材を提供することを課題とする。さらに、加工時の加工性、量産性が良く、品質ばらつきと、施工ばらつきが低減する薄板折板屋根部材を提供することを課題とする。特許文献１〜９以外の従来技術では、カバー材等によって、防水機能を高めることがあるが、こういったカバー材等を増やして部品点数を増や���ことにより、生産コストを上げることなく、防水効果を維持する薄板屋根部材とその製造・組み立て方法・施工方法を提供することをも課題とする。薄板屋根部材の引っ掛け部と良好に引っ掛け部で係合し、耐久強度も強く、強風、大雨、熱膨張等の環境下にも良好に係合を維持する軒下唐草部材を提供することをも課題とする。
【課題を解決するための手段】
【００２３】  前記課題を解決するため、本発明は、薄板屋根部材との係合部分の軒下唐草部材に、前記軒下唐草部材から突き出す２つの下向きの略直角をなす断面Ｌ字型部からなる前記軒下唐草部材略矩形引っ掛け部を形成し、前記薄板屋根部材端部に略コの字形状の薄板屋根部材側引っ掛け部を形成し、前記軒下唐草部材略矩形引っ掛け部と薄板屋根部材端部の略コの字形引っ掛け部を係合させることによって成る。【００２４】  したがって、本発明によると、係合性、組み立て性が良好で、施工しやすく、同時に、防水性、水返し機能を満足させ、美観を維持しつつ、薄板屋根部材の加工誤差、組み立て誤差を、冗長性良好に吸収するとともに、少ない部品点数で、安定した耐久品質を効果的に維持できる作用・効果を奏する。【００２５】  また、本発明によると、金属の比熱の低さ、伝熱性に起因して、外気温の上下変動に対して熱膨張が発生した際、多くの薄板屋根部材で集積した熱膨張寸法差を、軒下唐草部材と直接係合する薄板屋根部材との組み立て係合構造で、冗長性良好に吸収する作用・効果を奏する。【００２６】  そして、本発明によると、台風や強風による負圧と正圧の繰り返し印加時に、冗長性良好に防水性、水返し機能を耐久的に維持し、施工時やメンテナンス時に、作業員が上に乗ったり、施工装置や、材料・工具等を屋根に仮置きした際、撓んだり、撓んだ履歴が残ることを冗長性良好に防止し、撓んだり、撓んだ履歴が残ることによる防水機能の低下をシンプルな構造にて防止する作用・効果を奏する。【００２７】  つまり、本発明は、詳細説明に後述するように、軒下唐草部材と薄板屋根部材を当接させたり、基本的に面積をもって固接させたりする構成、手段ではない。本発明は、軒下唐草部材と薄板屋根部材を所定の面積をもって、むしろしっかりと当接させないことによる、固接させないことによる、特に一定の大きな面積を持って軒下唐草部材と薄板屋根部材をしっかりと当接させないことによる、薄板屋根部材の軒下唐草部材に対する位置バラエティ対応性、傾斜バラエティ対応性、組み立て施工しやすさ、耐久、耐候品質の安定性にかかる後述を含む作用、効果を奏する。【００２８】そして、本発明は、略コの字形状の薄板屋根部材端部の略コの字形引っ掛け部の先端に、断面が曲率をもって前記薄板屋根部材の下側に曲がる曲げ部分を設けることによって成る。【００２９】  これにより、本発明は、段落００２４〜段落００２７等に記載の作用、効果を奏する。そして先端の曲げ返し部分が、前記屋根下側に、折り返してなる曲げ返し部分の近傍に、雨水が入りこんでしまった場合の雨がえし作用を有する。同時に、前記屋根外側に折り返してなる前記先端曲げ返し部分は、開放状態ながらも、長手方向に半柱状効果をなし、その他のコの字形状の曲げ部分半柱状効果との相乗作用で、薄板屋根部材の強度向上作用を有する。つまり、より少ない前記薄板屋根部材で、施工時作業員が上に乗ったり、施工装置や、施工時保管時等に材料・工具等を上等に仮置きした際、撓んだり、撓んだ履歴が残ることによる防水機能の低下を防止できる。ここに、前記先端曲げ返し部分は、曲げ加工によって加工硬化を受けるので、前記撓み、撓んだ履歴や防水機能の低下作用効果と強度向上を、より薄く、軽く、少ない材料使用にて効果的に実現できる。【００３０】  また、本発明は、引っ掛け部が略コの字形状の薄板屋根部材端部の前記略コの字形状の背寸法に対して、前記引っ掛け部が略コの字形状の薄板屋根部材の断面開口寸法が、少し短い、または、少し長いことによって成る。【００３１】  これにより、本発明は、段落００２４〜段落００２７等に記載の作用、効果を奏する。【００３２】  そして、本発明は、２つの下向きの略直角をなす断面Ｌ字型部からなる前記軒下唐草部材引っ掛け部断面上表線と、前記前記略コの字形状の薄板屋根部材端部の前記係合構造部上表線とを所定の角度をもって係合させることによって成る。【００３３】  これにより、本発明は、段落００２４〜段落００２７等に記載の作用、効果を奏する。【００３４】  また、本発明は、２つの下向きの略直角をなす断面Ｌ字型部からなる軒下唐草部材引っ掛け部断面上表線と、前記前記略コの字形状の薄板屋根部材端部の前記係合構造部上表線と略平行に係合させることによって成る。【００３５】  また、本発明は、後示する図１、図２、図３とこれにかかる詳細説明に後述するように、２つの下向きの略直角をなす断面Ｌ字型部分で形成される前記軒下唐草部材引っ掛け部に係合する前記略コの字形状の薄板屋根部材端部の引っ掛け部の背部１１の断面長さが、前記２つの下向きの略直角をなす断面Ｌ字型部分で形成される前記軒下唐草部材の略矩形引っ掛け部の背部２１の断面長さより短く、前記略コの字形状の薄板屋根部材端部の引っ掛け部先端近傍部１３の断面長さが、前記軒下唐草部材引っ掛け部水平部１４の断面長さより短く、かつ、前記軒下唐草部材引っ掛け部先端近傍部１５の断面長さより短いことによって成る。【００３６】  これにより、本発明は、段落００２４〜段落００２７等に記載の作用、効果を奏する。【００３７】  さらに、本発明は、軒下唐草部材をアルミニウム押し出し加工材料とすることによって成る。【００３８】  これにより、本発明は、段落００２４〜段落００２７等に記載の作用、効果を奏する。【００３９】  そして、本発明は、軒下唐草部材を板金加工接合部材とすることによって成る。【００４０】  これにより、本発明は、段落００２４〜段落００２７等に記載の作用、効果を奏する。【００４１】  さらに、本発明は、薄板屋根部材を、鋼板、カラー鋼板、塗装ステンレス鋼板、クラッドメタル材、溶融アルミニウムめっき鋼板、ガルバリウム（Ｇａｌｖａｌｕｍｅ）鋼板（登録商標）、アルミニウム−亜鉛合金めっき鋼板、フッ素鋼板、ポリ塩化ビニール樹脂等の樹脂被覆鋼板、前塗装アルミニウム板、塗装アルミニウム板、銅版、亜鉛板、のいずれか１つの材料とすることによって成る。【００４２】  これによって、本発明は、耐食性・耐久性が良好で、カラフルな美観で、量産性が良い薄板折板屋根部材を水切り防水性良好に、そして、前記施工性を良好に得ることができる。また、メンテナンスの期間スパンも長くなる効果を奏する。段落００２４〜段落００２７等に記載の作用、効果を奏する。【００４３】  そして、本発明は、軒下唐草部材を、鋼板、カラー鋼板、塗装ステンレス鋼板、クラッドメタル材、溶融アルミニウムめっき鋼板、ガルバリウム（��ａｌｖａｌｕｍｅ）鋼板（登録商標）、アルミニウム−亜鉛合金めっき鋼板、フッ素鋼板、ポリ塩化ビニール樹脂等の樹脂被覆鋼板、前塗装アルミニウム板、塗装アルミニウム板、銅版、亜鉛板、のいずれか１つの材料とすることによって成る。【００４４】  これによって、本発明は、耐食性・耐久性が良好で、強度があり、カラフルな美観で、量産性が良い薄板折板屋根部材を水切り防水性良好に、そして、前記施工性を良好に得ることができる。また、メンテナンスの期間スパンも長くなる効果を奏する。段落００２４〜段落００２７等に記載の作用、効果を奏する。【００４５】  また、本発明は、薄板屋根部材の屋根側、または、屋根と反対側のいずれか一方に断熱材を積層することによって成る。【００４６】  これによって、本発明は、薄板折板屋根部材として、金属薄板を採用した時、金属の比熱の低さ、伝熱性に起因して、外気温の上下変動に、前記薄板折板屋根部材の内側の温度が、追随しやすい現象を抑制できる。結果、結露の発生を低減させることができる作用、効果を奏する。【００４７】  また、本発明は、断熱材をポリエチレンフォームとし、前記薄板屋根部材のコの字状係合部分の下側への先端折り曲げ水返し部の曲率曲線をオーバーラップするように積層することによって成る。【００４８】  これによって、本発明は、前記断熱材を積層させた薄板屋根部材に、有効幅内での断熱材の積層がない部分を最小にすることができる。施工時作業員が上に乗ったり、施工装置や、材料・工具等を仮置きした際、撓んだり、撓んだ履歴が残ることによる断熱材の積層がない部分を最小にすることができる。施工時作業員が上に乗ったり、施工装置や、材料・工具等を仮置きした際、撓んだりした時に、基部の曲げ部をオーバーラップして、断熱材を積層していることにより、オーバーラップして、断熱材を積層しないことにより、積層した断熱材の端部から、施工時作業員が上に乗ったり、施工装置や、材料・工具等を仮置きした際、撓んだりすることに起因しての、積層断熱材の積層端部からの剥がれ開始を防止することができる。そして、薄板屋根部材の断熱効果を経時的に、耐久的により完全に維持できる。薄板屋根部材の曲げ部を積層断熱材でオーバーラップすることにより、前記薄板屋根部材の曲げ部の曲げ加工後、ストレスのかかった表層に発生しやすい表面欠陥とその拡大を外的環境から保護する作用、効果がある。【００４９】  さらに、本発明は、軒下唐草部材と、前記略コの字形状の薄板屋根部材の、いずれかの板金塑性加工の一部または全部を加工する塑性加工装置を屋根施工現場近傍に持ち込んで塑性加工することによって成る。【００５０】  このように、工場での前記薄板屋根部材の成形等の加工を多くすると、前記薄板屋根部材の製品、半製品に曲げ加工等が施される程度に応じて、前記薄板折板屋根部材の製品、半製品そのものが、立体的になる。結果、全体に体積ボリウムが増す。そして、曲げ加工済み部分に、材料の重ね合わせ重量や輸送中の振動等によって変形してしまわないように、輸送専用のマテリアルハンドリング容器・治具の製作が必要になり、輸送コスト、ト―タルコストが上がる。本発明では、これらの工数・コストを低減でき、輸送中の前記薄板折板屋根部材の製品、半製品の品質劣化が回避できる。前記薄板折板屋根部材の施工現場近傍で、多く、前記薄板折板屋根部材の加工をすれば、前記薄板折板屋根部材の製品、半製品の輸送コストと輸送専用のマテリアルハンドリング容器・治具の製作費用が大幅に低減できる。遠隔地でも、ト―タルコストを抑えた組み立て、施工が出来る効果を奏する。【００５１】  そして、本発明が、その他の補強材なしで、追加部品なしで、より少ない材料で、例えば、水返し機能の曲げ部が、強度補強機能を強化させる等、これらの機能を果たす等に加え、軒下唐草部材と、前記略コの字形状の薄板屋根部材の、いずれかの板金塑性加工の一部または全部を加工する塑性加工装置を屋根施工現場近傍に持ち込んで塑性加工することによって、材料そのものの製造環境負荷の低減、加工装置の入力電力の低減等をふくむ加工時の環境負荷の低減、リサイクル時の環境負荷の低減等大きなライフサイクル総合環境負荷の低減作用を成す効果を奏する。【００５２】  また、本発明では、軒下唐草部材と、前記略コの字形状の薄板屋根部材の、いずれかの板金塑性加工の一部または全部を加工する塑性加工装置を屋根施工現場近傍に持ち込んで塑性加工することによって、輸送コストを減らすことに関連する効果を得ると同時に、屋根系全体の軽量化という同時達成課題を解決することにより、大きな地震発生時、重量のある屋根によって加勢される建て屋の振動による建て屋そのものの振動、共振、振幅を低減できる作用がある。これにより、地震発生時の建て屋の倒壊、半倒壊による被害を減じる作用があるとともに、小さな地震で有っても、共振等による、建て屋の経時劣化を抑制できる。また、板材料の色バラエティにより、建物にふさわしい、施工主体の希望する美観、外観を創出できる効果を奏する。【００５３】  すなわち、本発明の薄板屋根部材と軒下唐草部材の係合構造は、係合する薄板屋根部材単体と軒下唐草部材単体、そして、薄板屋根部材単体と軒下唐草部材単体の係合組み立て体で、通常時の多重の雨返し防水機能を有し、施工時作業員が上に乗ったり、施工装置や、前記構成要件手段を記載した段落に記載してきたように、材料・工具等を屋根上等に仮置き等した際、撓んだり、撓んだ履歴が残留した時にも、強度保持とともに、雨返し防水機能を発揮する作用効果がある。
【発明の効果】
【００５４】    本発明によると、係合性、組み立て性が良好で、施工しやすく、同時に、防水性、水返し機能を満足させ、美観を維持しつつ、薄板屋根部材の加工誤差、組み立て誤差を、冗長性良好に吸収するとともに、少ない部品点数で、安定した耐久品質を効果的に維持できる作用・効果を奏する。水返し機能を果たしつつ、薄板屋根部材の加工誤差、組み立て誤差を、冗長性良好に吸収するとともに、少ない部品点数で、安定した耐久品質を効果的に維持する機能を同一またはほぼ同一薄板屋根部材、同一またはほぼ同一唐草によって実現する作用・効果を奏する。【００５５】  金属の比熱の低さ、伝熱性に起因して、外気温の上下変動に対して熱膨張が発生した際、多くの薄板屋根部材で集積した熱膨張寸法差を、軒下唐草部材と直接係合する薄板屋根部材との組み立て係合構造で、冗長性良好に吸収する作用・効果を奏する。【００５６】  本発明によると、台風や強風による負圧と正圧の繰り返し印加時に、冗長性良好に防水性、水返し機能を耐久的に維持し、施工時やメンテナンス時に、作業員が上に乗ったり、施工装置や、材料・工具等を屋根に仮置きした際、撓んだり、撓んだ履歴が残ることを冗長性良好に防止し、撓んだり、撓んだ履歴が残ることによる防水機能の低下をシンプルな構造にて防止する作用・効果を奏する。【００５７】  本発明は、詳細説明に後述するように、軒下唐草部材と薄板屋根部材を当接させたり、基本的に面積をもって固接させたりする構成、手段ではない。本発明は、軒下唐草部材と薄板屋根部材を所定の面積をもって、むしろしっかりと当接させないことによる、固接させないことによる、特に一定の大きな面積を持って軒下唐草部材と薄板屋根部材をしっかりと当接させないことによる、薄板屋根部材の軒下唐草部材に対する位置バラエティ対応性、傾斜バラエティ対応性、組み立て施工しやすさ、耐久、耐候品質の安定性にかかる後述を含む作用、効果を奏する。【００５８】  そして先端の曲げ返し部分が、前記屋根下側に、折り返してなる曲げ返し部分の近傍に、雨水が入りこんでしまった場合の雨がえし作用を有する。同時に、前記屋根外側に折り返してなる前記先端曲げ返し部分は、開放状態ながらも、長手方向に半柱状効果をなし、その他のコの字形状の曲げ部分半柱状効果との相乗作用で、薄板屋根部材の強度向上作用を有する。つまり、より少ない前記薄板屋根部材で、施工時作業員が上に乗ったり、施工装置や、材料・工具等を仮置きした際、撓んだり、撓んだ履歴が残ることによる防水機能の低下を防止できる。ここに、前記先端曲げ返し部分は、曲げ加工によって加工硬化を受けるので、前記撓み、撓んだ履歴や防水機能の低下作用効果と強度向上を、より薄く、軽く、少ない材料使用にて実現できる効果を奏する。【００５９】  本発明は、耐食性・耐久性が良好で、カラフルな美観で、量産性が良い薄板折板屋根部材を水切り防水性良好に、そして、前記施工性を良好に得ることができる。また、メンテナンスの期間スパンも長くなる効果を奏する。【００６０】  本発明は、耐食性・耐久性が良好で、強度があり、カラフルな美観で、量産性が良い薄板折板屋根部材を水切り防水性良好に、そして、前記施工性を良好に得ることができる。また、��ンテナンスの期間スパンも長くなる効果を奏する。【００６１】  本発明は、薄板折板屋根部材として、金属薄板を採用した時、金属の比熱の低さ、伝熱性に起因して、外気温の上下変動に、前記薄板折板屋根部材の内側の温度が、追随しやすい現象を抑制できる。結果、結露の発生を低減させることができる作用、効果を奏する。【００６２】  本発明は、前記断熱材を積層させた薄板屋根部材に、有効幅内での断熱材の積層がない部分を最小にすることができる。施工時作業員が上に乗ったり、施工装置や、材料・工具等を仮置きした際、撓んだり、撓んだ履歴が残ることによる断熱材の積層がない部分を最小にすることができる。施工時作業員が上に乗ったり、施工装置や、材料・工具等を仮置きした際、撓んだりした時に、基部の曲げ部をオーバーラップして、断熱材を積層していることにより、オーバーラップして、断熱材を積層しないことにより、積層した断熱材の端部から、施工時作業員が上に乗ったり、施工装置や、材料・工具等を仮置きした際、撓んだりすることに起因しての、積層断熱材の積層端部からの剥がれ開始を防止することができる。そして、薄板屋根部材の断熱効果を経時的に、耐久的により完全に維持できる。薄板屋根部材の曲げ部を積層断熱材でオーバーラップすることにより、前記薄板屋根部材の曲げ部の曲げ加工後、ストレスのかかった表層に発生しやすい表面欠陥とその拡大を外的環境から保護する作用、効果がある。【００６３】  本発明は、工場での前記薄板屋根部材の成形等の加工を多くすると、前記薄板屋根部材の製品、半製品に曲げ加工等が施される程度に応じて、前記薄板折板屋根部材の製品、半製品そのものが、立体的になる。結果、全体に体積ボリウムが増す。そして、曲げ加工済み部分に、材料の重ね合わせ重量や輸送中の振動等によって変形してしまわないように、輸送専用のマテリアルハンドリング容器・治具の製作が必要になり、輸送コスト、ト―タルコストが上がる。本発明では、これらのコストを低減でき、輸送中の前記薄板折板屋根部材の製品、半製品の品質劣化が回避できる。前記薄板折板屋根部材の施工現場近傍で、多く、前記薄板折板屋根部材の加工をすれば、前記薄板折板屋根部材の製品、半製品の輸送コストと輸送専用のマテリアルハンドリング容器・治具の製作費用が大幅に低減できる。遠隔地でも、ト―タルコストを抑えた組み立て、施工が出来る効果を奏する。【００６４】  そして、本発明が、その他の補強材なしで、追加部品なしで、より少ない材料で、これらの機能を果たすことは、軒下唐草部材と、前記略コの字形状の薄板屋根部材の、いずれかの板金塑性加工の一部または全部を加工する塑性加工装置を屋根施工現場近傍に持ち込んで塑性加工することによって、材料そのものの製造環境負荷の低減、加工装置の入力電力の低減等をふくむ加工時の環境負荷の低減、リサイクル時の環境負荷の低減等大きなライフサイクル総合環境負荷の低減作用を成す効果を奏する。【００６５】  また、本発明では、軒下唐草部材と、前記略コの字形状の薄板屋根部材の、いずれかの板金塑性加工の一部または全部を加工する塑性加工装置を屋根施工現場近傍に持ち込んで塑性加工することによって、屋根系全体の軽量化により、大きな地震発���時、重量のある屋根によって加勢される建て屋の振動による建て屋そのものの振動、共振、振幅を低減できる作用がある。これにより、地震発生時の建て屋の倒壊、半倒壊による被害を減じる作用があるとともに、小さな地震で有っても、共振等による、建て屋の経時劣化を抑制できる。また、板材料の色バラエティにより、建物にふさわしい、施工主体の希望する美観、外観を創出できる効果を奏する。【００６６】  すなわち、本発明の薄板屋根部材と軒下唐草部材の係合構造は、係合する薄板屋根部材単体と軒下唐草部材単体、そして、薄板屋根部材単体と軒下唐草部材単体の係合組み立て体で、通常時の多重の雨返し防水機能を有し、施工時作業員が上に乗ったり、施工装置や、材料・工具等を仮置きした際、撓んだり、撓んだ履歴が残留した時にも強度保持とともに、雨返し防水機能を発揮する作用効果を奏する。【００６７】  また、本発明は、馳部の強度が上がって変形しにくくなる。結果、防水効果が経時的に安定的に向上する効果を奏する。さらに、台風や強風による負圧にも正圧にも耐久性が向上する。また、負圧にも正圧にも強度が向上し、負圧と正圧の繰り返し印加時経時耐久性も向上する効果がある。【００６８】  さらに、本発明は、通常時や、台風等の風雨の強い時も、軒下唐草部材から突き出す２つの下向きの略直角をなす断面Ｌ字型部からなる前記軒下唐草部材略矩形引っ掛け部と薄板屋根部材端部に略コの字形状の薄板屋根部材側引っ掛け部が、水返し機能を保持しつつ、冗長に係合するため、コの字形状、Ｌ字型部、水返し曲げ部等によって、変形しにくくなる効果を奏する。これによって、施工時等に、作業員が上に乗ったり、施工装置や、材料・工具等を仮置きした際、重力によって撓むことにより、力が印加した状態で、接触擦り合うことによって、薄板屋根部材の表面塗装、クラッド材料等が部分的に剥がれて腐食の要因になるのを回避する効果を奏する。また、重力によって撓むことにより、力が印加した状態で、接触擦り合うことが原因となっての腐食開始を抑制できる作用効果を奏する。
【図面の簡単な説明】
【００６９】
【図１】本発明の薄板屋根部材と軒下唐草部材の係合部断面を示す模式図である。（ａ）は、軒下唐草部材引っ掛け部断面上表線と、略コの字形状の薄板屋根部材端部の係合構造部上表線が大きな傾斜角度である断面を示す模式図である。（ｂ）は、軒下唐草部材引っ掛け部断面上表線と、略コの字形状の薄板屋根部材端部の係合構造部上表線が大きくない傾斜角度である断面を示す模式図である。（ｃ）は、軒下唐草部材引っ掛け部断面上表線と、略コの字形状の薄板屋根部材端部の係合構造部上表線が傾斜角度をもたない断面を示す模式図である。
【図２】本発明の軒下唐草部材の実施態様の断面を示す模式図である。
【図３】本発明の薄板屋根部材端部の略コの字形状の背寸法に対する開口寸法を示す模式断面図である。（ａ）は、背寸法に対する開口寸法の侠広が少ない実施態様の模式断面図である。（ｂ）は、背寸法に対する開口寸法が狭い実施態様の模式断面図である。（ｃ）は、背寸法に対する開口寸法が広い実施態様の模式断面図である。
【図４】断熱材を積層した本発明実施態様の模式断面図である。
【発明を実施するための形態】
【００７０】    以下、本発明の実施形態について、適宜図面を参照しながら説明する。
図１は本発明の実施形態を示す薄板屋根部材と軒下唐草部材の係合部断面を示す模式図である。図１（ａ）は、軒下唐草部材引っ掛け部断面上表線と、略コの字形状の薄板屋根部材端部の係合構造部上表線が大きな傾斜角度である断面を示す模式図である。図１（ａ）において、１は、薄板屋根部材、１６は、薄板屋根部材端部に略コの字形状に形成した引っ掛け部、２は、軒下唐草部材略矩形引っ掛け部、１１は、薄板屋根部材端部に略コの字形状に形成した引っ掛け部の背部、１３は、薄板屋根部材端部の略コの字形引っ掛け部の先端近傍部、１４は、軒下唐草部材引っ掛け部断面上表線部、１７は、薄板屋根部材の下側に曲がる曲げ部分である。また、１５は、軒下唐草部材引っ掛け部先端近傍部である。図１（ａ）、図１（ｂ）、図１（ｃ）、図２、図３（ａ）、図３（ｂ）、図３（ｃ）、図４において、同一符号は、同一機能部材を示す。
【００７１】  図１（ａ）において、薄板屋根部材１が、軒下唐草部材引っ掛け部断面上表線部１４に対して、断面にて大きな傾斜角度を有する本発明の実施形態について説明する。薄板屋根部材１と、軒下唐草部材引っ掛け部断面上表線部１４が、断面にて大きな傾斜角度を有する場合は、例えば、屋根上に積雪があり、比較的角度ある傾斜によって、雪が薄板屋根部材１表面の傾斜に沿って落下し、屋根上に積雪として蓄積しにくい機能を果たさせる時や美観等のために、薄板屋根部材１の表面の傾斜をより急角度に設計したい場合などが、図１（ａ）に掛かる実施形態である。１６は、薄板屋根部材端部１の略コの字形引っ掛け部である。
【００７２】    図１（ａ）において、薄板屋根部材端部１の略コの字形引っ掛け部１６の先端に、断面が曲率をもって薄板屋根部材の下側に曲がる曲げ部分１７を配する。薄板屋根部材の下側に曲がる曲げ部分１７により、  薄板屋根部材端部１の断面が略コの字形引っ掛け部とともに作用して、図１（ａ）の図平面に垂直方向の軸に対する曲げ等の剛性が高まる。施工時作業員が上に乗ったり、施工装置や、材料・工具等を仮置きした際、撓んだり、撓んだ履歴が残留した時にも強度保持とともに、雨返し防水機能を発揮する作用効果を奏する。
【００７３】  図１（ａ）においては、薄板屋根部材の下側に曲がる曲げ部分１７は、薄板屋根部材端部の略コの字形引っ掛け部の先端近傍部１３に沿う程度に平行になるまで曲げた実施形態を示した。この薄板屋根部材の下側に曲がる曲げ部分１７により、作業員が施工時に手を切ったり、ぶつけて衣服を破損したりしにくくなる。作業時に他の部材にぶつけて、表面欠陥をつくり、部材の耐久品質の劣化を促進するのを軽減する効果を奏する。薄板屋根部材の下側に曲がる曲げ部分１７を軒下唐草部材略矩形引っ掛け部２の内側近傍に近くなるまで開口すれば、薄板屋根部材１や薄板屋根部材端部の略コの字形引っ掛け部の先端近傍部１３に沿ってやや下方外側から、台風等の強風雨が吹き込んだ時が屋根にとって、強風雨の大きな弱点になるが、薄板屋根部材１や薄板屋根部材端部の略コの字形引っ掛け部の先端近傍部１３に沿ってやや下方外側から吹き込んだ時の水返し、風返し機能が増す作用効果を奏する。
【００７４】  もちろん、普通の風雨で、略垂直方向か、略垂直方向に角度を持った程度の風雨であっても、前記のように、回り込んだ風雨に対して、薄板屋根部材端部の略コの字形引っ掛け部の先端近傍部１３、薄板屋根部材端部に略コの字形状に形成した引っ掛け部の背部１１、軒下唐草部材略矩形引っ掛け部の軒下唐草部材から突き出すした横Ｌ字型部１２、軒下唐草部材引っ掛け部断面上表線部１４、軒下唐草部材引っ掛け部先端近傍部１５、軒下唐草部材略矩形引っ掛け部の軒下唐草部材から突き出す下Ｌ字型部２１等とともに、水返し、風返し機能が増す作用効果を奏する。
【００７５】  台風等の強風雨が吹き込んだ時も、段落７４に説明したように、回り込んだ風雨に対して、薄板屋根部材端部の略コの字形引っ掛け部の先端近傍部１３、薄板屋根部材端部に略コの字形状に形成した引っ掛け部の背部１１、軒下唐草部材略矩形引っ掛け部の軒下唐草部材から突き出すした横Ｌ字型部１２、軒下唐草部材引っ掛け部断面上表線部１４、軒下唐草部材引っ掛け部先端近傍部１５、軒下唐草部材略矩形引っ掛け部の軒下唐草部材から突き出す下Ｌ字型部２１等とともに、水返し、風返し機能が増す作用効果を奏する。
【００７６】  図４は、本発明の薄板屋根部材に断熱材を積層した実施形態の薄板折板屋根部材長さ方向に対する垂直断面模式図である。図４において、使用した同一符号は、図１、図２、図３と同じである。本発明の実施形態の薄板屋根部材に、断熱材Ｔを積層させた。
【００７７】  本発明の薄板折板屋根部材に断熱材を積層した実施形態では、断熱材Ｔとして厚さ２ｍｍのポリエチレンフォームを積層した。ポリエチレンフォームは、ポリエチレン樹脂（ＬＤＰＥ、ＥＶＡ）を基材として、発砲架橋させた市販のフォームが、屋根の断熱材として積層するに好適である。元来、ブロック状で生産されるが、スライス・裁断・粘着・融着・打抜き・接着・熱圧成形等の加工を経て、金属薄板屋根のヒートサイクル下でも、結露を誘発しにくく、屋根として複合積層し、防水性良好な薄板屋根複合積層部材として機能する。
【００７８】  断熱材Ｔに積層させるポリエチレンフォームには、水・空気を通さない独立気泡タイプと、水・空気を通す連続気泡タイプの２種類があるが、防水の観点では、水・空気を通さない独立気泡タイプが好適である。独立気泡ポリエチレンフォームを金属材料の薄板折板屋根部材に積層させるともともと気泡はきめ細かく、柔軟性、復元性、優れた緩衝性、断熱性、浮揚性、耐候性、耐薬品性があるので、断熱効果が高い他、施工時作業員が上に乗ったり、施工装置や、材料・工具等を仮置きした際、重力その他によって  薄板折板屋根部材が、上下・左右の応力を受けた時、弾性的に抗する作用がある。結果、施工時作業員が上に乗ったり、施工装置や、材料・工具等を仮置きした際、撓んだり、撓んだ履歴が残ることが低減される。また、撓んだり、撓んだ履歴が残ることによる防水効果の低下が抑止される効果を奏する。酸性雨が馳せ部等から万一回り込んだとしても、耐久性ある、ライフの長い薄板折板屋根複合積層部材として機能する。難燃性能を有した独立気泡ポリエチレンフォームを採用すると、万一の火災発生の時、有利である。
【００７９】  ポリエチレン樹脂に、カーボンを練り込んだ導電性・帯電防止機能のあるポリエチレンフォームを積層させると作業環境の美化保持にも役立ち、運搬時の帯電防止の他、屋根としての組み立て性、施工性も良好になる。ポリエチレンフォームの生産・加工工程で発生する端材を再利用してフォームとして薄板折板屋根複合積層部材として機能させると、環境負荷が低減し、環境に好影響の薄板折板屋根になる。
【００８０】  また、本発明の実施形態では、薄板折板屋根部材の材料として、塗装ステンレス鋼板、クラッドメタル材、溶融アルミニウムめっき鋼板、ガルバリウム（Ｇａｌｖａｌｕｍｅ）鋼板（登録商標）、アルミニウム−亜鉛合金めっき鋼板、フッ素鋼板、ポリ塩化ビニール樹脂等の樹脂被覆鋼板、前塗装アルミニウム板、塗装アルミニウム板を関東地方で、対候試験をしたところ、８年経過サンプル、１２年経過サンプル、２４年経過サンプルのいずれも、雨水漏れ現象が発生しない状態を更新中である。
【００８１】  そして、本発明の実施形態では、薄板屋根部材の材料として、熱延薄鋼板類、冷延薄鋼板類、表面処理薄鋼板［亜鉛をめっきした亜鉛めっき鋼板、スズをめっきした錫めっき鋼板（ブリキ）、クロム酸処理を施したティンフリースチール、塗装を施したカラー鋼板（塗装鋼板・プレコート鋼板）、銅版、亜鉛板］を関東地方で、対候試験をしたところ、比較例のスレート系屋根が、２０年以下でクラック、ひび割れ等による雨水漏れ現象が複数検出されたのに対して、前記すべての薄鋼板類に関して、妥当性試験装置で３０年経過した時点で、雨水漏れ現象は検出されていない。
【００８２】  さらに、本発明の実施形態では、薄板屋根部材を相互に係合させる組み立ての際、作業ばらつきによって薄板折板屋根部材の略コの字部や軒下唐草部材から突き出す２つの下向きの略直角をなす断面Ｌ字型部近傍のいずれか部分が接触し、薄板折板屋根部材の略コの字部や軒下唐草部材から突き出す２つの下向きの略直角をなす断面Ｌ字型部やその他の特定の部分に接触し、塗装膜やクラッド材、表面処理膜、あるいは、薄板折板屋根部材の本体材料表面に一部傷、擦り跡をつけてしまい、一部の傷、擦り跡がトリガ―となって、腐食や応力腐食が進展してしまうのを最小限に抑えられる作用効果を奏する。
【産業上の利用可能性】
【００８３】  近年国内で発生した大きな地震では、重量の大きな和瓦が耐震構造の充分でない住宅、建て屋を倒壊、半倒壊させて被害を招いている。将来発生が予想される地震でもこのような被害が懸念される。スレート屋根等重量がある屋根は、大きな地震での住宅、建て屋に与える負担が大きい。ここに、これらを回避し、耐久性が高く、メンテナンススパンも長い、例えば金属薄板から成るとともに、軽量で強度があり、防水性の高い薄板折板屋根部材とその組み立て施工方法を提供するので、産業上の利用可能性が大きい。
【符号の説明】
【００８４】  １      薄板屋根部材
２      軒下唐草部材略矩形引っ掛け部
１１    薄板屋根部材端部に略コの字形状に形成した引っ掛け部の背部
１２    軒下唐草部材略矩形引っ掛け部の軒下唐草部材から突き出した横Ｌ字型部
１３    薄板屋根部材端部の略コの字形引っ掛け部の先端近傍部
１４    軒下唐草部材引っ掛け部断面上表線部
１５    軒下唐草部材引っ掛け部先端近傍部
１６    薄板屋根部材端部に略コの字形状に形成した引っ掛け部
１７    薄板屋根部材の下側に曲がる曲げ部分
２１    軒下唐草部材略矩形引っ掛け部の軒下唐草部材から突き出す下Ｌ字型部
【図１】
2018199990.tif 000003
【図２】
2018199990.tif 000004
【図３】
2018199990.tif 000005
【図４】
2018199990.tif 000006